(57)【要約】【課題】プリント配線基板上に湿度センサを装着した加湿装置において、製品コストの上昇を抑え、プリント配線基板上に配置された湿度センサが室内の湿度を正確に検出できる加湿装置を提供することを目的とする。【解決手段】プリント配線基板上に室内の湿度を検出する湿度センサを配置した加湿装置において、湿度センサをプリント配線基板の端部に設けられた凸形状部に配置し、この凸形状部を囲むように室内の空気を取り込むための通風路を形成した。さらに、通風路は加湿装置における２種類以上の部品の勘合により形成した。【選択図】図４
2007170762.tif 000002
【特許請求の範囲】
【請求項１】
加湿空気を発生させる加湿手段と、室内の空気を吸込口から取り入れ前記加湿手段を通過させて吹出口より加湿空気として吹き出す送風手段と、室内の湿度を検出する湿度センサと、加湿量を制御するための電気部品を装着したプリント配線基板とを有し、前記プリント配線基板上に前記湿度センサを装着した加湿装置において、前記プリント配線基板の端部を凸形状部とし該凸形状部に前記湿度センサを配置するとともに、前記凸形状部を囲むように通風路を形成したことを特徴とする加湿装置。
【請求項２】
通風路は、２種類以上の部品の勘合により形成したことを特徴とする請求項１記載の加湿装置。
【発明の詳細な説明】
【技術分野】
【０００１】
本発明は、室内の乾燥を防止するための加湿装置に係わり、特に、湿度センサをプリント配線基板上に配置した構成に関するものである。
【背景技術】
【０００２】
従来の加湿器では、湿度センサにより室内の湿度を検出し予め設定した設定湿度との差によって加湿量を制御するものが一般的である。例えば、送風手段により室内から取り込んだ空気を気化フィルターに通過させて加湿空気を発生させる気化式加湿装置では、吸込口付近に配置した湿度センサの検出湿度が設定湿度に到達すると、送風機を最小送風量で運転させるかまたは送風機を停止させることで加湿量を制御していた。
【０００３】
また、湿度センサは、室内の湿度を正確に検出するために送風手段により取り込まれた室内の空気が通過する通風経路内に配置されるのが一般的だが、本体内部の配置や部品コストの制限でプリント配線基板上に配置される場合がある。このため、他のプリント配線基板上部品の発熱により湿度センサの雰囲気温度が上昇し正確な湿度が検出できなくなるため、湿度センサの近傍に通風路や遮蔽体を設け、室内の空気を取り込んで湿度センサの雰囲気温度の上昇を抑える方法がとられている。（特許文献１）
【特許文献１】特開２０００−２８１６５号公報
【発明の開示】
【発明が解決しようとする課題】
【０００４】
しかしながら、プリント配線基板上に配置された湿度センサを他の発熱する基板上部品と遠ざけなければならないことから基板面積を広くする必要もある。さらに通風路を設けるための部品も必要となる。また、遮蔽体を設けた場合には、遮蔽体が部品として増加し配置するためのスペースも必要となる。したがって、部品点数や基板面積の増加と組立工数の増加となるため、製品コストが上昇するという問題があった。
【０００５】
本発明は上記課題を解決するためのもので、プリント配線基板上に湿度センサを装着した加湿装置において、製品コストの上昇を抑え、プリント配線基板上に配置された湿度センサが室内の湿度を正確に検出できる加湿装置を提供することを目的とする。
【課題を解決するための手段】
【０００６】
加湿空気を発生させる加湿手段と、室内の空気を吸込口から取り入れ前記加湿手段を通過させて吹出口より加湿空気として吹き出す送風手段と、室内の湿度を検出する湿度センサと、加湿量を制御するための電気部品を装着したプリント配線基板とを有し、前記プリント配線基板上に前記湿度センサを装着した加湿装置において、前記プリント配線基板の端部を凸形状部とし該凸形状部に前記湿度センサを配置するとともに、前記凸形状部を囲むように通風路を形成したことを特徴とする加湿装置に係わるものである。
【０００７】
また、通風路は、２種類以上の部品の勘合により形成したことを特徴とする請求項１記載の加湿装置に係わるものである。
【発明の効果】
【０００８】
上述の構成により、プリント配線基板上の凸形状部に配置された湿度センサは室内の湿度を正確に検出できる。また、部品点数や組立工数の増加を防止できるため製品コストの上昇を抑えることができる。したがって、製品コストの上昇を抑えて室内の湿度を正確に検出できる加湿装置を供給できる。
【発明を実施するための最良の形態】
【０００９】
好適と考える本発明の実施形態を、本発明の作用を示して簡単に説明する。
【００１０】
本発明は、プリント配線基板上に室内の湿度を検出する湿度センサを配置した加湿装置において、湿度センサをプリント配線基板の端部に設けられた凸形状部に配置し、この凸形状部に室内の空気を取り込むための通風路を形成したものである。また、通風路は２種類以上の部品の勘合により形成したものである。
【００１１】
つまり、プリント配線基板上の凸形状部に配置された湿度センサは、他の発熱する電子部品から遠ざけられ、さらに通気口から通風路を介して取り込まれた室内の空気によりプリント配線基板上の発熱する電子部品の熱影響を受けることがなくなるから、室内の湿度を正確に検出できる。また、通風路を加湿装置内部の部品の勘合により形成して部品点数や組立工数の増加を防止できるから、製品コストの上昇を抑えることができる。
【実施例】
【００１２】
以下本発明の一実施例を図面により説明する。
【００１３】
図１より、１は加湿装置の本体ケース、２は本体ケース１の上部に位置し加湿装置の運転を制御するための操作部で、この操作部２と隣接する上部に本体ケース１内で加湿された加湿空気を室内に排出するための吹出口３を設けている。また、４は室内の空気を本体ケース１内部に取り入れるための吸込口であり、５は室内の湿度を検出するための湿度センサ６に連通する通気口である。
【００１４】
図２は加湿器の縦断面構成図であり、７は図示しない給水タンクから供給された水を一定水量貯える水槽部、８は水槽部７内の水を吸水して湿潤する加湿手段としての気化フィルターである。９は送風機であり、１０は吸込口４と気化フィルター８の間に配置され送風機９によって吸込口４から取り込まれた空気を加熱する温風用ヒータである。
【００１５】
１１は加湿装置を制御するための電子部品と湿度センサ６を配置したプリント配線基板で、このプリント配線基板１１は電子部品の取り付け面を下にして操作盤１２に固定されている。そして、図３に示すようにプリント配線基板１１は端部に形成された凸形状部１１Ａに湿度センサ６を配置している。これは湿度センサ６をプリント配線基板１１上の発熱する電子部品から遠ざけるためである。
【００１６】
また、１３は本体ケース１の側面に設けられた通気口５から室内の空気を取り込むための通風路であり、湿度センサ６を配置した凸形状部１１Ａを囲むように形成されている。図４は通風路１３を形成する部品の組立図であり、通風路１３は操作盤１２に一体成形された囲い部１２Ａと、送風機９を固定するモータカバー１４の水平部１４Ａにより形成されている。
【００１７】
つまり、プリント配線基板１１が操作盤１２に固定されると湿度センサ６を配置した凸形状部１１Ａが囲い部１２Ａにより囲われ、この操作盤１２をモータカバー１４に組み付けることにより囲い部１２Ａと水平部１４Ａが勘合して通風路１３を形成するのである。したがって、通風路１３を形成するための専用部品が不要となることから部品点数や組立工数の増加を防止できるので製品コストの上昇を抑えることができるのである。
【００１８】
尚、本実施例では操作盤１２に一体成形された囲い部１２Ａとモータカバー１４の水平部１４Ａの勘合により通風路１３を形成したが、加湿装置における２種類以上の部品の勘合により通風路１３を形成すればよく、本実施例の部品に限定されるものではない。
【００１９】
次に、以上の構成における動作を説明する。加湿装置を運転する場合、先ず図示していない給水タンクに水を入れ、これを本体ケース１内に挿入し指定位置に設置する。これにより水槽部７には給水タンクから一定量の水が流れ出し一定水位の水が貯えられる。その結果、水槽部７に設置されている気化フィルター８は毛細管現象により水槽部７の水を吸い上げ湿潤する。
【００２０】
この状態で操作部２の運転スイッチを入れ、湿度設定スイッチで目標とする湿度を選択すると、送風機９が回転するため、室内の空気は吸込口４から本体ケース１内に取り入れられ、気化フィルター８を通過する際に加湿空気となり吹出口３から排出される。さらに、送風機９が回転することにより本体ケース１内が負圧となることから、プリント配線基板１１の湿度センサ６付近には通気口５から通風路１３を介して室内の空気が取り込まれるため、湿度センサ６は室内の湿度を検出する。
【００２１】
その後、湿度設定スイッチにより設定された設定湿度と湿度センサ６が検出した検出湿度の差に応じて、温風用ヒータ１０や送風機９の回転を制御して自動的に加湿運転が行なわれる。そして、加湿運転が行なわれるとプリント配線基板１１上では発熱する電子部品により雰囲気温度が上昇することになる。
【００２２】
しかし、凸形状部１１Ａに配置された湿度センサ６は発熱する電子部品から遠ざけられ、さらに通気口５から通風路１３を介して取り込まれた室内の空気によりプリント配線基板１１上の発熱する電子部品の熱影響を受けることがなくなるから、室内の湿度を正確に検出できる。したがって、製品コストの上昇を抑えて室内の湿度を正確に検出できる加湿装置を供給できるのである。
【図面の簡単な説明】
【００２３】
【図１】本発明の実施例を示す傾視図である。
【図２】本発明の実施例を示す縦断面構成図である。
【図３】本発明の実施例のプリント配線基板を示す上面図である。
【図４】本発明の実施例の通風路を示す組立図である。
【符号の説明】
【００２４】
３    吹出口
４    吸込口
６    湿度センサ
８    気化フィルター（加湿手段）
９    送風機（送風手段）
１１  プリント配線基板
１１Ａ凸形状部
１３  通風路
【図１】
2007170762.tif 000003
【図２】
2007170762.tif 000004
【図３】
2007170762.tif 000005
【図４】
2007170762.tif 000006